(57)【特許請求の範囲】
【請求項１】
大便器を固定するためにこの大便器の内側床面に設置された固定部材と、前記大便器を前記固定部材に固定するための第１固定手段と、前記固定部材に係止しながら前記第１固定手段の移動方向と反対の方向に移動する第２固定手段とを備え、前記第１固定手段と第２固定手段によって大便器の固定部を挟持して固定することを特徴とする大便器の固定構造。
【請求項２】
前記第１固定手段を、前記大便器の固定部に穿設した貫通孔を進退し、螺子部を有する便器固定ボルトで、前記第２固定手段を、前記固定部材に配設したナット部に対して螺合する螺合ボルト部と前記便器固定ボルトと螺合する内側螺合部とを備えた可動式コマで構成し、前記便器固定ボルト、可動式コマ及びナット部が同軸線上に配設して、前記便器固定ボルトと前記内側螺合部とが前記便器固定ボルトを右ねじ方向若しくは左ねじ方向のいずれかの一方方向に回転したときに前記可動式コマが便器固定ボルトに接近するように螺合し、前記可動式コマの螺合ボルト部と前記ナット部とが前記可動式コマの螺合ボルト部を前記一方方向とは反対の方向に回転したときに前記可動式コマが前記ナット部に接近するように螺合させ、前記便器固定ボルトと前記可動式コマによって前記大便器の固定部を挟持することを特徴とする請求項１に記載の大便器の固定構造。
【請求項３】
前記可動式コマの大便器との接触面に緩衝の役目をなす樹脂部材を挿入、又はコマと一体成形したことを特徴とした請求項２に記載の大便器の固定構造。
【発明の詳細な説明】
【０００１】
【発明の属する技術分野】
本発明は、大便器を固定部材に固定する際の大便器の固定構造に関するものである。
【０００２】
【従来の技術】
従来の大便器の固定構造を図３に示す。その主な構成部品は大便器１、排水ソケット２、ゴムジョイント３、便器の固定部材４、便器固定ボルト５、固定ナット６、座金７、三角パッキン８、便器排水口９、便器固定穴１０からなり、排水ソケット２と便器の固定部材４は一体成形してあり、固定ナット６は、便器の固定部材４にインサートし固定している。大便器１の固定方法は、床面ＦＬに固定した排水ソケット２のゴムジョイント３部に便器排水口９を挿入した後、便器固定ボルト５を便器固定穴１０より挿入し便器固定ナット６に螺合させ便器固定ボルト５を締込んで大便器１と便器の固定部材４の間に引張力を発生させ大便器１を固定している。（例えば、特開平１１−１４０９４７）
【０００３】
【発明が解決しようとする課題】
しかし、前述した大便器の固定構造は、容易に便器固定ボルト５に過度の締付けトルクを加えられるため、大便器１、排水ソケット２、便器の固定部材４の破損や、ねじ部摩擦によるねじ噛みを引き起こしていた。また、その防止策として便器固定ボルト５に部分ねじを採用し強制的に締込みを抑制したり、部品に加わる応力を緩和させるために緩衝材として三角パッキン８を便器固定座金７と陶器面の間に挿入したりしている。このように、その設計に関しては強度解析を始め十二分な設計が必要であった。
【０００４】
そこで、本発明は便器固定ボルトを締めすぎても大便器と便器固定部材の間に引張力を発生しない固定構造と共に、十分な便器固定力を得ることができる大便器の固定構造を提供することを目的とする。
【０００５】
【課題を解決するための手段及び作用・効果】
請求項１記載の大便器の固定構造は、大便器を固定するためにこの大便器の内側床面に設置された固定部材と、前記大便器を前記固定部材に固定するための第１固定手段と、この第１固定手段と係合して前記固定部材に係止しながら前記第１固定手段が移動する方向とは反対の方向に移動して第１固定手段に接近する第２固定手段とを備え、前記第１固定手段と第２固定手段によって大便器の固定部を挟持して固定することを特徴とする。第１固定手段を第２固定手段に係合した状態で移動すると第２固定手段が第１固定手段に接近して大便器の固定部を挟持する。その際、挟持力が固定部材に作用しないので固定部材を破壊する恐れがなく、また大便器の固定部に無理な力を加える恐れがなく破損することがない。
【０００６】
請求項２に記載の大便器の固定構造は、前記第１固定手段を、前記大便器の固定部に穿設した貫通孔を進退し、螺子部を有する便器固定ボルトで、前記第２固定手段を、前記固定部材に配設したナット部に対して螺合する螺合ボルト部と前記便器固定ボルトと螺合する内側螺合部とを備えた可動式コマで構成し、前記便器固定ボルト、可動式コマ及びナット部が同軸線上に配設して、前記便器固定ボルトと前記内側螺合部とが前記便器固定ボルトを右ねじ方向若しくは左ねじ方向のいずれかの一方方向に回転したときに前記可動式コマが便器固定ボルトに接近するように螺合し、前記可動式コマの螺合ボルト部と前記ナット部とが前記可動式コマの螺合ボルト部を前記一方方向とは反対の方向に回転したときに前記可動式コマが前記ナット部に接近するように螺合させ、前記便器固定ボルトと前記可動式コマによって前記大便器の固定部を挟持することを特徴とする。このような構造とすることで、便器固定ボルトを締めすぎても大便器の固定部と固定部材間には引張力が発生せず、大便器の固定部を二重に締め込むことになるので、その強度は非常に強く、両者の締付け時の破損を極めて防ぐことが出来る。また、大便器の固定部を二重に締付けることにより、締付けに掛かるトルクはある点より急激に増加するため、締付けに必要なトルクが掛かったことの判断が分かりやすく、過度に締付けるケースが少なくなる。
【０００７】
請求項３記載の大便器の固定構造は、前記可動式コマの大便器の固定部との接触面に緩衝の役目をなす樹脂部材を挿入、又は可動式コマと一体成形したことを特徴とする。
このような構造をとることで、二重に挟み込む大便器の固定部の両面に、平行な平面が確保されていない場合、あるいは、大便器の固定部の面が固定軸と垂直でない場合でも固定部と緩衝材との接触面を増やし、荷重を分散させることができるので締付けによる大便器の固定部の破損防止やガタツキ防止となる。
【０００８】
【発明の実施の形態】
以下、本発明の一実態の形態を添付図面に基づいて説明する。
従来の大便器の固定構造と同じ構成については同番号を付す。
図１は大便器の固定構造を示す断面図である。１は大便器、４は便器の固定部材で排水ソケット２と一体成形し大便器１に内包された状態で床面ＦＬに固定設置されている。３はゴムジョイントで便器排水口９の外周面をシール保持している。５は便器固定ボルトで７はその座金である。６６は固定ナットで便器の固定部材４にインサート固定している。１０は便器固定ボルト５が挿通する便器固定穴である。１１は可動式コマで下方部が固定ナット６と螺合し、上方部が便器固定ボルト５と螺合するようになっている。
【０００９】
図２は便器固定ボルト５、可動式コマ１１、固定ナット６６のそれぞれが螺合する前の状態を示す図である。可動式コマ１１はその下方部に固定ナット６に螺合する外側螺子部１１ａと、上方部に便器固定ボルト５が螺合する内側螺子部１１ｂを備え、上端部はすり鉢状の形状をなしており便器固定ボルト５をすり鉢の中心へ案内する役目をしている。１２は可動式コマ１１の上端面が大便器１の固定部１３と接触した際の大便器の破損・ガタツキを防止する樹脂製の緩衝材である。便器固定ボルト５と可動式コマ１１の内側螺子部１１ｂとは、便器固定ボルト５を右ねじ方向に回転したときに便器固定ボルト５と内側螺子部１１ｂが締め付けられる螺合状態としている。可動式コマ１１の外側螺子部１１ａと固定ナット６６とは、可動式コマ１１を左ねじ方向に回転したときに可動式コマ１１と固定ナット６が締め付けられる螺合状態としている。
【００１０】
つぎに、大便器の固定方法について説明する。
予め便器の固定部材４は所定の位置に図示しない固定具によって床面ＦＬ固定されている。
可動式コマ１１を左ねじ方向に回転して外側螺子部１１ａを固定ナット６に螺合する。図１の左側部にその状態を示している。
つぎに、大便器１を便器の固定部材４を内包し、便器排水口９がゴムジョイント３に内装されるように床面ＦＬに配設する。
つぎに、便器固定ボルト５を便器固定穴１０を挿通し右ねじ方向に回転していくと便器固定ボルト５が可動式コマ１１の内側螺子部１１ｂに螺合しながら内側螺子部１１ｂ内に進入していく。そして、座金７が大便器の固定部１３に当接して便器固定ボルト５をさらに右ねじ方向に回転すると可動式コマ１１が一緒に右ねじ方向に回転して、可動式コマ１１が上方に移動する。
そして、図１の右側部に示すように便器固定ボルト５の座金７と可動式コマ１１に大便器の固定部１３を挟持する。
【００１１】
上記実施例においては、可動式コマ１１の移動は便器固定ボルト５、固定ナット６とそれぞれ螺合によって行っているが、便器の固定部材に係止しながら便器固定ボルトの移動方向とは反対側に移動し便器固定ボルトと便器の固定部を挟持する機構であればこれに限定されない。
【００１２】
【発明の効果】
以上に説明した如く本発明に係る大便器の固定構造は可動式コマを用いることにより大便器と便器の固定部材の間に引張力を発生させないため、固定ボルトの締め過ぎによる破損しやすい陶器製の便器や便器の固定部材、排水ソケットの破損を防止することができる。
【図面の簡単な説明】
【図１】本発明の一実施例に係る大便器の固定構造の断面図である。
【図２】本発明に係る便器固定ボルト５、可動式コマ１１、固定ナット６６のそれぞれが螺合する前の状態を示す図である。
【図３】従来の大便器の固定構造の断面図である。
【符号の説明】
１…大便器
２…排水ソケット
３…ゴムジョイント
４…便器の固定部材
５…便器固定ボルト
６、６６…固定ナット
７…座金
８…三角パッキン
９…便器排水口
１０…便器固定穴
１１…可動式コマ
１２…緩衝材
１３…大便器の固定部
【図１】
0004207219.tif 000002
【図２】
0004207219.tif 000003
【図３】
0004207219.tif 000004